(57)【特許請求の範囲】
【請求項１】
モバイル端末と通信可能に接続され、複数の監視カメラを管理する管理サーバであって、
前記複数の監視カメラの中の１つの監視カメラから送信された、前記モバイル端末を識別する端末識別情報を含んでいる情報を受信する受信手段と、
前記受信手段が受信した前記端末識別情報を含んでいる情報により端末識別情報を取得する識別情報取得手段と、
前記端末識別情報を含んでいる情報を送信した監視カメラと通信接続する情報を、前記端末識別情報を取得したモバイル端末に送信する接続情報送信手段と、
を備えることを特徴とする管理サーバ。
【請求項２】
前記端末識別情報を記憶する識別情報記憶手段と、
前記取得した端末識別情報と前記記憶されている識別情報とを認証する認証手段と、
前記接続情報送信手段が、前記認証手段により前記記憶されている端末識別情報が認証されたモバイル端末に、前記端末識別情報を含んでいる情報を送信した監視カメラと通信接続する情報を送信することを特徴とする請求項１に記載の管理サーバ。
【請求項３】
前記識別情報記憶手段はさらに、前記端末識別情報を前記管理サーバが受信した日時を、前記管理サーバが受信した前記端末識別情報と対応付けて記憶し、
前記端末識別情報を含んでいる情報を受信した日時を取得する日時取得手段と、
前記管理サーバが受信した日時と前記取得した日時に基づいて、当該管理サーバが受信した日時に対応づけられている端末識別情報の有効期間を判断する有効期間判断手段と、
を更に備え、
前記有効期間判断手段により前記記憶されている端末識別情報が有効期間ではないと判断された場合には、前記接続情報送信手段が、前記認証手段により前記記憶されている端末識別情報が認証されたモバイル端末には、前記端末識別情報を含んでいる情報を送信した監視カメラと通信接続する情報を送信しないことを特徴とする請求項２に記載の管理サーバ。
【請求項４】
モバイル端末と通信可能に接続され、複数の監視カメラを管理する管理サーバの制御方法であって、
前記管理サーバの受信手段が、前記複数の監視カメラの中の１つの監視カメラから送信された、前記モバイル端末を識別する端末識別情報を含んでいる情報を受信する受信工程と、
前記管理サーバの識別情報取得手段が、前記受信工程で受信した前記端末識別情報を含んでいる情報により端末識別情報を取得する識別情報取得工程と、
前記管理サーバの接続情報送信手段が、前記端末識別情報を含んでいる情報を送信した監視カメラと通信接続する情報を、前記端末識別情報を取得したモバイル端末に送信する接続情報送信工程と、
を含むことを特徴とする制御方法。
【請求項５】
モバイル端末と通信可能に接続され、複数の監視カメラを管理する管理サーバで読み取り実行可能なプログラムであって、
前記管理サーバを、
前記複数の監視カメラの中の１つの監視カメラから送信された、前記モバイル端末を識別する端末識別情報を含んでいる情報を受信する受信手段と、
前記受信手段が受信した前記端末識別情報を含んでいる情報により端末識別情報を取得する識別情報取得手段と、
前記端末識別情報を含んでいる情報を送信した監視カメラと通信接続する情報を、前記端末識別情報を取得したモバイル端末に送信する接続情報送信手段と、
として機能させることを特徴とするプログラム。
【発明の詳細な説明】
【技術分野】
【０００１】
本発明は複数の監視カメラを用いた監視システム、及びその制御方法とプログラムの技術に関する。
【背景技術】
【０００２】
近年、監視カメラにより撮影された映像を管理サーバ側で管理し、端末のアプリケーションに映像を配信するものがある。このような仕組みでは携帯電話のアプリケーションからも監視カメラの映像を閲覧することが可能となっている。
【０００３】
設置業者が監視カメラを初めて店舗等に設置する業務の際には、調整用に持参した端末と目の前の監視カメラ間で直接通信を行い、目の前の監視カメラの映像を見ながら監視カメラの向きや角度を、作業用に持参した端末を用いて調整する作業が発生する。
【０００４】
その際に、目の前の監視カメラを操作するためには、まず端末から管理サーバに問い合わせして、目の前の監視カメラのＩＰアドレスを取得する必要があるが、管理サーバが多数の監視カメラを管理している場合には、多数の監視カメラ全てのＩＰアドレスを事前に確認する必要があるので、その中のどの監視カメラが目の前の設置する監視カメラなのか選択する手間や選択する時間を要してしまう。
【０００５】
特許文献１には、拠点アドレス情報を用いて、無線通信端末と目の前の監視カメラ間で直接通信する技術が開示されているが、画像配信サーバ側で各拠点のネットワークアドレス情報を管理する必要があり、画像配信サーバ側での拠点アドレス情報のメンテナンスが煩雑となる場合もある。
【先行技術文献】
【特許文献】
【０００６】
【特許文献１】特開２０１３−０５１６７８号公報
【発明の概要】
【発明が解決しようとする課題】
【０００７】
本発明は、監視カメラの目の前にあるが、この監視カメラとはまだ通信接続がされていないモバイル端末が目の前の監視カメラと容易に通信接続を行うことが可能な仕組みを提供することを目的とする。
【課題を解決するための手段】
【０００８】
本発明は、モバイル端末と通信可能に接続され、複数の監視カメラを管理する管理サーバであって、前記複数の監視カメラの中の１つの監視カメラから送信された、前記モバイル端末を識別する端末識別情報を含んでいる情報を受信する受信手段と、前記受信手段が受信した前記端末識別情報を含んでいる情報により端末識別情報を取得する識別情報取得手段と、前記端末識別情報を含んでいる情報を送信した監視カメラと通信接続する情報を、前記端末識別情報を取得したモバイル端末に送信する接続情報送信手段と、を備えることを特徴とする。
【０００９】
また、前記端末識別情報を記憶する識別情報記憶手段と、前記取得した端末識別情報と前記記憶されている識別情報とを認証する認証手段と、前記接続情報送信手段が、前記認証手段により前記記憶されている端末識別情報が認証されたモバイル端末に、前記端末識別情報を含んでいる情報を送信した監視カメラと通信接続する情報を送信することを特徴とする。
【００１０】
また、前記識別情報記憶手段はさらに、前記端末識別情報を前記管理サーバが受信した日時を、前記管理サーバが受信した前記端末識別情報と対応付けて記憶し、前記端末識別情報を含んでいる情報を受信した日時を取得する日時取得手段と、前記管理サーバが受信した日時と前記取得した日時に基づいて、当該管理サーバが受信した日時に対応づけられている端末識別情報の有効期間を判断する有効期間判断手段と、を更に備え、前記有効期間判断手段により前記記憶されている端末識別情報が有効期間ではないと判断された場合には、前記接続情報送信手段が、前記認証手段により前記記憶されている端末識別情報が認証されたモバイル端末には、前記端末識別情報を含んでいる情報を送信した監視カメラと通信接続する情報を送信しないことを特徴とする。
【発明の効果】
【００１３】
本発明により、監視カメラの目の前にあるが、この監視カメラとはまだ通信接続がされていないモバイル端末が目の前の監視カメラと容易に通信接続を行うことが可能な仕組みを提供することが可能となる
【図面の簡単な説明】
【００１４】
【図１】本願発明の監視システム全体のシステム構成を示す図である。
【図２】本願発明のモバイル端末と管理サーバ、画像配信サーバのハードウエア構成を示す図である。
【図３】本願発明の監視システムにおけるフローチャートの１例を示す図である。
【図４】本願発明のモバイル端末が表示する画面の１例を示す図である
【図５】本願発明のデータベースのカメラ接続情報テーブルの１例を示す図である。
【図６】本願発明のデータベースの識別コード管理テーブルの１例を示す図である。
【図７】本願発明の監視システム全体の処理の流れを示す図である。
【発明を実施するための形態】
【００１５】
図１を説明する。
図１は、本発明の監視システムの構成の一例を示すシステム構成図である。
【００１６】
１００は管理サーバであり、モバイル端末２００とは通信可能に接続されており、多数の監視カメラ２０１、２０６が撮影した映像を、画像配信サーバ１０１を介してモバイル端末２００に配信することができる。さらに監視カメラ２０１が撮影して画像配信サーバ１０１に送信された映像を、画像配信サーバ１０１で保存することもできる。
【００１７】
さらに管理サーバ１００は、通信回線（インターネット回線）を介して複数の各監視カメラや、無線ＬＡＮアクセスポイント２０２、携帯電話網の基地局２０３とも通信可能に接続されている。
【００１８】
画像配信サーバ１０１は複数の各監視カメラが撮影した映像を管理して配信するものであり、通信回線（インターネット回線）を介して複数の監視カメラ、無線ＬＡＮアクセスポイント２０２、携帯電話網の基地局２０３と通信可能に接続されている。
【００１９】
２００はモバイル端末であり、モバイル端末２００にインストールされたアプリケーションを介して、画像配信サーバ１０１による画像配信サービスにアクセスすることができる。モバイル端末２００から画像配信サーバ１０１の画像配信サービスにアクセスする通信方法としては、携帯電話網の基地局２０３を介して通信する３Ｇ回線を使用する方法や、無線ＬＡＮアクセスポイント２０２を介して通信するＷｉ−Ｆｉを使用する方法がある。尚、モバイル端末２００とは、例えばスマートフォン、タブレット端末や携帯電話でもよく、無線ＬＡＮアクセスポイント２０２とも無線通信が可能な端末である。
【００２０】
２０１、２０６は監視カメラであり、設置された場所で画像を撮影するパンチルトカメラである。監視カメラは、通信回線（インターネット回線）を介して画像配信サーバ１０１とも通信可能に接続されている。尚、監視カメラはネットワークカメラとも言われる。
２０２は無線ＬＡＮアクセスポイントである。モバイル端末２００とはＷｉ−Ｆｉにて無線通信する。
【００２１】
２０３は携帯電話基地局である。モバイル端末２００とは３Ｇ回線にて通信する。さらにモバイル端末２００は、携帯電話基地局２０３を介してもインターネット通信（３Ｇ回線）が可能である。
２０４は中継装置であり、モバイル端末２００及び監視カメラＡ２０６と管理サーバ１００とのネットワーク通信を中継するルータである。
２０５は中継装置であり、監視カメラＢ２０１と管理サーバ１００とのネットワーク通信を中継するルータである。
図２を説明する。
図２は、管理サーバ１００、画像配信サーバ１０１及びモバイル端末２００のハードウエア構成を示す図である。
図２において、４０１はＣＰＵで、システムバス４０４に接続される各デバイスやコントローラを統括的に制御する。
【００２２】
ＲＯＭ４０３あるいは外部メモリ４１１には、ＣＰＵ４０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２３】
４０２はＲＡＭで、ＣＰＵ４０１の主メモリ、ワークエリア等として機能する。ＣＰＵ４０１は、処理の実行に際して必要なプログラム等をＲＯＭ４０３あるいは外部メモリ４１１からＲＡＭ４０２にロードして、ロードしたプログラムを読み取り実行することで各種動作を実現するものである。
４０５は入力コントローラであり、キーボード（ＫＢ）４０９や不図示のマウス等のポインティングデバイス等からの入力を制御する。
【００２４】
４０６はビデオコントローラで、表示部４１０への表示を制御する。なお、表示部４１０はＣＲＴだけでなく、液晶ディスプレイ等の他の表示器であってもよい。これらは必要に応じて管理者が使用するものである。また表示部は指やペン等にてユーザが表示画面内の対象位置を指定するタッチパネル機能を含むものであってもよい。
【００２５】
４０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ４１１へのアクセスを制御する。
【００２６】
４０８は通信Ｉ／Ｆコントローラで、ネットワーク（通信回線）を介して外部機器と接続・通信するものであり、ネットワークでの通信制御処理を実行する。例えば、ＴＣＰ／ＩＰを用いた通信等が可能である。
【００２７】
なお、ＣＰＵ４０１は、例えばＲＡＭ４０２内の表示情報用領域へアウトラインフォントの展開（ラスタライズ）処理を実行することにより、ＣＲＴ上での表示を可能としている。また、ＣＰＵ４０１は、ＣＲＴ上の不図示のマウスカーソル等でのユーザ指示を可能とする。
【００２８】
本発明を実現するための後述する各種プログラムは、外部メモリ４１１に記録されており、必要に応じてＲＡＭ４０３にロードされることによりＣＰＵ４０１によって実行されるものである。さらに、上記プログラムの実行時に用いられるデータファイル及びデータテーブル等も、外部メモリ４１１に格納されており、これらについての詳細な説明も後述する。
図３を説明する。
ステップＳ１０１では、モバイル端末２００において、ユーザの指示により本発明の「カメラ映像表示・設定アプリケーション」を起動する。
その後、「カメラ映像表示・設定アプリケーション」内でのユーザの生成指示によりモバイル端末２００を識別するための識別ＩＤからＱＲコード（登録商標）を生成する。
【００２９】
つまりモバイル端末２００は、ユーザの操作によるＱＲコードの生成指示に従って、識別情報（例えば端末識別ＩＤ：１２３４３５等）を含んでいる表示情報としてＱＲコードを生成する（ＱＲコード生成手段）
ステップＳ１０２では、モバイル端末２００と監視カメラＡ２０６を紐づけるための情報として、識別ＩＤを管理サーバ１００に送信する。
【００３０】
つまりモバイル端末２００は、インターネット回線や携帯電波等の通信回線を利用して、目の前にある監視カメラと通信接続をしたい自らの端末を識別する識別情報（例えば端末識別ＩＤ：１２３４３５等）を管理サーバ１００に送信する（識別情報送信手段）。
ステップＳ１０３では、管理サーバ１００は識別ＩＤを受信する。
【００３１】
ステップＳ１０４では、ＱＲコードと識別ＩＤの認証を行う時間を制限するために、識別ＩＤ管理テーブルに、管理サーバ１００は管理ＩＤを付与して識別ＩＤと認証開始時刻を保存する。
【００３２】
ステップＳ１０５では、モバイル端末２００は、ユーザの操作によるＱＲコードの表示指示に従って、Ｓ１０１で生成されたＱＲコードを図４に示すようにモバイル端末２００の表示画面に表示する。
【００３３】
つまりモバイル端末２００では、識別情報（例えば端末識別ＩＤ：１２３４３５等）がＱＲコードの中に含まれている表示情報５０１を、モバイル端末の画面に表示する（表示手段）。
【００３４】
なお、表示情報５０１はＱＲコードに限定されるものではなく、バーコード等の情報であっても良く、識別情報を直接、監視カメラで撮影しないように識別情報を含んだ画像情報に変換されたものであればよい。さらにＱＲコードやバーコードに変換された画像情報の方が、監視カメラで撮影された画像を管理サーバ１００側で解析する場合に、文字として表示されている識別情報を解析するよりも、識別情報の読み取り精度が向上するという効果もある。
【００３５】
その後、ユーザは図４に示すようなＱＲコードを表示画面に表示させた状態で、目の前にある監視カメラＡ２０６の撮影レンズに向かって画面表示されたＱＲコードを向けることで、目の前にある監視カメラＡ２０６にＱＲコードを撮影させることになる。なお、この時には、監視カメラＡ２０６で、ＱＲコードを撮影しやすいように、監視カメラＡ２０６の至近距離（例えば１ｍ以内）にユーザが近づいて、モバイル端末の画面を向けた方がよい。
ステップＳ１０６では、監視カメラＡ２０６はモバイル端末２００の画面に表示されているＱＲコードを撮影する。
【００３６】
ステップＳ１０７では、監視カメラＢ２０１は映像を管理サーバ１００に常時送信する。また監視カメラＡ２０６と監視カメラＢ２０１以外のその他の監視カメラにおいても、撮影した映像を管理サーバ１００に常時送信する。
ステップＳ１０８では、管理サーバ１００は全て監視カメラが撮影した各映像を、各監視カメラから常時受信する。
【００３７】
つまり管理サーバ１００は、図７に示すように監視カメラＡ２０６により撮影された表示情報（ＱＲコード）が含まれている画像を画像配信サーバ１０１を経由して受信している（撮影画像受信手段）。
ステップＳ１０９では、管理サーバ１００は受信した映像を解析する。ここで管理サーバ１００は、全ての監視カメラの映像を解析する。
ステップＳ１１０では、管理サーバ１００はＳ１０９で受信した映像を解析した結果、受信した映像の中にＱＲコードを検出したかを判定する。
【００３８】
ここで、管理サーバ１００側でＱＲコードを検出した場合には、ステップＳ１１４に進む。ここで、ＱＲコードを検出しなかった場合には、ステップＳ１０８に戻る。
【００３９】
さらに管理サーバ１００はここで、撮影された表示情報（ＱＲコード）が含まれている画像を管理サーバ１００が受信した日時も合わせて取得している（日時取得手段）。
【００４０】
ステップＳ１１４では、管理サーバ１００は識別ＩＤ管理テーブルを参照し、識別ＩＤに対応する認証開始時刻を取得する。その後、認証開始時刻（識別情報が管理サーバ１００に送信された日時）と現在の時刻（ＱＲコードから識別情報を取得した日時）とを比較し、認証許容時間を経過しているか判定する。
【００４１】
ここで、管理サーバ１００は認証許容時間を経過したと判定した場合にはステップＳ１１５に進む。ここで、認証許容時間を経過していない場合にはステップＳ１１１に進む。
【００４２】
つまり管理サーバ１００は、識別情報管理テーブルに記憶されている送信された日時（認証開始時刻）とＳ１１０で取得した日時に基づいて、この送信された日時に対応づけられている識別情報の有効期間を判断している（有効期間判断手段）。
【００４３】
例えばその有効期間が予め１時間に設定されている場合には、識別情報管理テーブルに記憶されている送信された日時（認証開始時刻）とＳ１１０で取得した日時との時間差が１時間以内であれば、認証する識別情報が有効期間内であると判断する。
【００４４】
Ｓ１１０で取得した日時が有効期間を超えている場合には、管理サーバ１００側で認証する識別情報を無効とすることで、セキュリティを考慮して、認証する識別情報を無期限に使用できることを防止している。つまりこの場合、モバイル端末２００は、監視カメラの接続情報を取得するためにはＳ１０２に戻って認証する識別情報をもう一度管理サーバに再送信する必要がある。
【００４５】
その後、Ｓ１１１で認証する場合に、ここで判断した有効期間の結果に従って、有効期間内であれば、受信した画像内の表示情報に含まれている識別情報と記憶されている識別情報とが認証されることになる。
【００４６】
ステップＳ１１５では、管理サーバ１００側で認証許容時間を超過していると判定されているため、モバイル端末２００に接続情報の送信不可エラーを返却する。
【００４７】
つまり管理サーバ１００は、結果的にはＳ１１１で記憶されている識別情報が認証されるモバイル端末に画像を受信した監視カメラと通信接続する情報を送信しないことを通知している（通知手段）。
【００４８】
このように、認証許容時間を経過した場合にはステップＳ１１５に進むので、記憶されている識別情報が有効期間ではないと判断された場合には、結果的にはＳ１１１で記憶されている識別情報が認証されるモバイル端末であったとしても、接続情報送信手段は画像を受信した監視カメラと通信接続する情報を送信しないように制御することになる。
【００４９】
ステップＳ１１１では、管理サーバ１００はＳ１０８で受信した画像に含まれている、Ｓ１１０で検出したＱＲコードを解析（ＱＲコード解析手段）して、解析後のＱＲコードが示す識別情報と記憶している識別ＩＤが一致するか判定する。
このように、管理サーバ１００側で解析したＱＲコードから、Ｓ１１１で認証するための識別情報を取得している（識別情報取得手段）。
ここで管理サーバ１００が一致したと判断した場合はステップＳ１１２に進む。ここで一致しない場合はステップＳ１０８に戻る。
【００５０】
つまり管理サーバ１００は、Ｓ１０８で受信した画像内の表示情報（ＱＲコード）に含まれている識別情報（例えば端末識別ＩＤ：１２３４３５等）と識別情報管理テーブルに記憶されている識別情報（例えば端末識別ＩＤ：１２３４３５等）とを認証している（認証手段）。
【００５１】
ステップＳ１１２では、管理サーバ１００はカメラ接続情報テーブルを参照し、ＱＲコードを検出した監視カメラであるカメラＩＤに対応付けられている接続情報（ＩＰアドレスやポート番号）を１つ選んでモバイル端末２００に送信する。
【００５２】
つまり管理サーバ１００は、Ｓ１１１で記憶されている識別情報が認証されたモバイル端末に、Ｓ１０８で画像を受信した監視カメラＡ２０６と通信接続する情報を送信している（接続情報送信手段）。
【００５３】
ステップＳ１１６では、モバイル端末２００は、監視カメラＡ２０６の接続情報を受信し、ステップＳ１１７にて、受信したＩＰアドレス・ポート番号を使用して目の前の監視カメラＡ２０６カメラに接続要求する。
ステップＳ１１８では、モバイル端末２００は、モバイル端末２００と監視カメラＡ２０６との通信接続が成功したか判定する。
ここで、接続が成功したと判断した場合は、ステップＳ１１９に進む。ここで、接続が失敗したと判断した場合は、ステップＳ１２９に進む。
ステップＳ１１９では、監視カメラＡ２０６はモバイル端末２００から送信された接続要求を受信する。
ステップＳ１２０では、監視カメラＡ２０６はログイン画面情報をモバイル端末２００に送信する。
ステップＳ１２１では、モバイル端末２００側でログイン画面を表示する。
ステップＳ１２２では、モバイル端末２００はステップＳ１１６で管理サーバ１００から受信したユーザＩＤ及びパスワードを監視カメラＡ２０６に送信する。
【００５４】
ステップＳ１２３では、監視カメラＡ２０６にて受信したユーザＩＤ及びパスワードを使用して自動ログイン認証処理を行い、ステップＳ１２４で、ログイン認証が成功したか判定する。
ここで、ログイン認証に成功した場合は、ステップＳ１２５に進む。ここで、ログイン認証に失敗した場合は、ステップＳ１２６に進む。
ステップＳ１２５では、監視カメラＡ２０６は管理者画面情報をモバイル端末２００に送信する。
ステップＳ１２６では、監視カメラＡ２０６はモバイル端末２００にログインエラー情報を返却する。
ステップＳ１２７では、モバイル端末２００は管理者画面を表示する。
ステップＳ１２８では、モバイル端末２００が表示中の管理者画面にて、ユーザがカメラの操作（映像表示・設定）を行う。
ステップＳ１２９では、モバイル端末２００はエラーログイン画面を表示する。
図５を説明する。
【００５５】
管理サーバは、Ｓ１１２でモバイル端末２００に送信する接続情報を、カメラ接続情報テーブルの中の監視カメラＩＤに対応付けて記憶している（接続情報記憶手段）。
５００１のカメラＩＤは監視カメラＩＤであり、多数の監視カメラの中から１つの監視カメラを識別する情報である。
５００２のＩＰアドレスは、１つの監視カメラのネットワーク上のアドレスを特定する情報である。
５００３のポート番号は、１つの監視カメラとモバイル端末２００がデータ通信を行う際に通信先である監視カメラのプログラムを特定するための番号である。
【００５６】
５００３のユーザ名は、１つの監視カメラとモバイル端末２００がデータ通信を行う際に通信先である監視カメラに、モバイル端末２００側から自動ログインする際に利用されるログイン情報である。
【００５７】
５００４のパスワードは、１つの監視カメラとモバイル端末２００がデータ通信を行う際に通信先である監視カメラに、モバイル端末２００側から自動ログインする際に利用されるログイン情報である。
図６を説明する。
【００５８】
管理サーバは、Ｓ１０２でモバイル端末２００から送信された識別情報を、識別情報管理テーブルの中の監視カメラＩＤに対応付けて記憶する（識別情報記憶手段）。
６００１の管理ＩＤは監視カメラＩＤであり、多数の監視カメラの中から１つの監視カメラを識別する情報である。
６００２の識別ＩＤはモバイル端末ＩＤであり、多数のモバイル端末の中から１つのモバイル端末を識別する情報である。
６００３の認証開始時刻は日時または時刻情報であり、識別ＩＤを認証可能な有効期間の開始日時として使用される情報である。
【００５９】
尚、認証開始時刻は識別ＩＤが管理サーバに送信された日時であり、識別情報管理テーブルには、識別ＩＤが管理サーバに送信された日時を、Ｓ１０２でモバイル端末から送信された識別ＩＤと対応付けて記憶されている。
【００６０】
また、本願発明におけるプログラムは、図３に示すフローチャートの処理方法をコンピュータが実行可能なプログラムであり、本願発明の記憶媒体は処理方法をコンピュータが実行可能なプログラムとして、外部メモリに記憶されている。  
【００６１】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本願発明の目的が達成されることは言うまでもない。  
【００６２】
この場合、記録媒体から読み出されたプログラム自体が本願発明の新規な機能を実現することになり、そのプログラムを記憶した記録媒体は本発明を構成することになる。  
【００６３】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。  
【００６４】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。  
【００６５】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。  
【００６６】
また、本願発明は、複数の機器から構成されるシステムに適用しても、１つの機器からなる装置に適用してもよい。また、本願発明は、システムあるいは装置にプログラムを供給することによって達成される場合にも適応できることは言うまでもない。この場合、本願発明を達成するためのプログラムを格納した記録媒体を該システムあるいは装置に読み出すことによって、そのシステムあるいは装置が、本願発明の効果を享受することが可能となる。  
【００６７】
さらに、本願発明を達成するためのプログラムをネットワーク上のサーバ，データベース等から通信プログラムによりダウンロードして読み出すことによって、そのシステムあるいは装置が、本願発明の効果を享受することが可能となる。
なお、上述した各実施形態およびその変形例を組み合わせた構成も全て本願発明に含まれるものである。
【符号の説明】
【００６８】
１００  管理サーバ
１０１  画像配信サーバ
２００  モバイル端末（スマートフォン）
２０１  監視カメラ
２０２  無線ＬＡＮアクセスポイント
２０６  監視カメラ
【図１】
0006399172.tif 000002
【図２】
0006399172.tif 000003
【図３】
0006399172.tif 000004
【図４】
0006399172.tif 000005
【図５】
0006399172.tif 000006
【図６】
0006399172.tif 000007
【図７】
0006399172.tif 000008